(57)【特許請求の範囲】
【請求項１】
床面部と、前記床面部に連なる囲い面部とにより、内部空間が閉塞されてなる蚊帳であって、
前記床面部および前記囲い面部の少なくとも一方にコード線を配線するための配線口が設けられるとともに、前記配線口の位置に、前記配線口を塞ぐように第１の面ファスナーが重ねられて接合されており、
前記第１の面ファスナーは、前記配線口と連通する前記コード線の挿通口を有し、
前記第１の面ファスナーの上面には、前記挿通口および前記挿通口の周辺領域にわたって咬合面が咬み合う第２の面ファスナーが着脱自在に貼り合わされてなる蚊帳。
【請求項２】
前記配線口および前記挿通口は、切り込みである請求項１に記載の蚊帳。
【請求項３】
前記第１の面ファスナーと前記第２の面ファスナーとは、一端において互いに連接されている請求項１または２に記載の蚊帳。
【発明の詳細な説明】
【技術分野】
【０００１】
本発明は、床面部を備える蚊帳に関し、特に電気コード等のコード線を配線するための配線口を有する蚊帳に関する。
【背景技術】
【０００２】
従来から、蚊等の虫から内部に居る人を守るものとして蚊帳が知られている。このような蚊帳の中には、床を這うムカデやゴキブリ等からも内部に居る人を守ることができるように床面部を備えたものがあり、さらには、蚊帳の内部に電灯を出し入れするための挿入口を天面部に備えたものがある（例えば、特許文献１参照）。このような蚊帳は、挿入口から虫が侵入するのを防止するため、挿入口に線ファスナーが取り付けられており、電灯のコード線を挿入口の端部に寄せた状態で、線ファスナーを閉じることで、挿入口が閉じられている。
【先行技術文献】
【特許文献】
【０００３】
【特許文献１】昭和１１年実用新案出願公告第３２９号公報
【発明の概要】
【発明が解決しようとする課題】
【０００４】
しかしながら、コード線の表面が一般的に曲面であるため、上記のように線ファスナーで挿入口を閉じる構成では、線ファスナーおよび挿入口とコード線との接触部分において隙間ができてしまい、コード線の周囲を完全に塞ぐことができなかった。そのため、コード線を配線するための挿入口（配線口）から虫が侵入することを確実に防止することができなかった。
【０００５】
本発明は、上記課題を解決するためになされたものであり、コード線を配線するための配線口を有する蚊帳であって、コード線の周囲を確実に塞ぐことで、配線口から虫が侵入することを確実に防止することができる蚊帳を提供する。
【課題を解決するための手段】
【０００６】
本発明は、床面部と、床面部に連なる囲い面部とにより、内部空間が閉塞されてなる蚊帳であって、床面部および囲い面部の少なくとも一方にコード線を配線するための配線口が設けられるとともに、配線口の位置に、配線口を塞ぐように第１の面ファスナーが重ねられて接合されている。第１の面ファスナーは、配線口と連通するコード線の挿通口を有し、第１の面ファスナーの上面には、挿通口および挿通口の周辺領域にわたって咬合面が咬み合う第２の面ファスナーが着脱自在に貼り合わされている。
【０００７】
本発明の蚊帳では、第１の面ファスナーに第２の面ファスナーが貼り合わされることで挿通口および挿通口の周辺領域が塞がれている。これにより、配線口および挿通口を通して蚊帳の内部空間に挿通されたコード線は、挿通口から所定の長さが第１の面ファスナーの咬合面と第２の面ファスナーの咬合面との間に挟まれる。このとき、第１の面ファスナーおよび第２の面ファスナーは面状であるため、コード線の表面の曲面に沿ってコード線を挟むことができる。その結果、コード線の周囲に虫の侵入路がなくなるため、蚊帳の内部空間へ虫が侵入することを確実に防止することができる。
【０００８】
なお、囲い面部とは、床面部を除く蚊帳の内部空間と外部とを仕切る面を指す。すなわち、天面部を有する柱形の蚊帳であれば、囲い面部は周面部および天面部を指し、天面部を有さない錐形の蚊帳であれば、囲い面部は周面部のみを指す。この点は、本明細書を通じて同義である。
【０００９】
好ましい実施形態の蚊帳においては、配線口および挿通口は、切り込みである。これにより、配線口および挿通口が細くなり、より虫の侵入を防止し易くなる。
【００１０】
好ましい実施形態の蚊帳においては、第１の面ファスナーと第２の面ファスナーとは、一端において互いに連接されている。これにより、配線口および挿通口にコード線を挿通するために第２の面ファスナーを第１の面ファスナーから外した場合でも、第２の面ファスナーの一端が第１の面ファスナーと連接しているので、第２の面ファスナーが第１の面ファスナーから分離されて紛失されることを防止することができる。
【発明の効果】
【００１１】
本発明によれば、コード線を配線するための配線口を有する蚊帳において、面ファスナーを利用することでコード線の周囲を確実に塞ぐことができ、配線口から虫が侵入することを確実に防止することができる。
【図面の簡単な説明】
【００１２】
【図１】本発明の蚊帳の一実施形態を示す一部分を破断した斜視図である。
【図２】図１の蚊帳のＡ部を拡大して示す斜視図で、第１の面ファスナーおよび第２の面ファスナーを取り除いて示す図である。
【図３】図１の蚊帳のＡ部を拡大して示す斜視図で、第２の面ファスナーを第１の面ファスナーから外した状態を示す図である。
【図４】図１の蚊帳のＡ部を拡大して示す斜視図で、第２の面ファスナーを第１の面ファスナーに貼り合わせた状態を示す図である。
【図５】図１の蚊帳のＡ部を拡大して示す斜視図で、コード線を挿通した状態を示す図である。
【図６】図１の蚊帳のＡ部において、配線口の他の実施形態を示す斜視図で、第１の面ファスナーおよび第２の面ファスナーを取り除いて示す図である。
【図７】図１の蚊帳のＡ部において、挿通口および第２の面ファスナーの他の実施形態を示す斜視図で、第２の面ファスナーを第１の面ファスナーから外した状態を示す図である。
【図８】本発明の蚊帳の他の実施形態を示す一部分を破断した斜視図である。
【発明を実施するための形態】
【００１３】
以下、本発明の実施形態について、添付図面を参照して説明する。本実施形態の蚊帳１は、図１に示すように、矩形状の床面部１１と、床面部１１の各辺から立ち上がって設けられる周面部１２１と、周面部１２１の上端に連なる矩形状の天面部１２２とから構成されている。蚊帳１は、床面部１１、周面部１２１および天面部１２２によって、内部空間Ｓが閉塞されている。本実施形態では、周面部１２１および天面部１２２が、床面部１１に連なる囲い面部１２となる。
【００１４】
床面部１１、周面部１２１および天面部１２２には、虫を通さずに風を通すことができる通気性の良い布地が用いられる。周面部１２１および天面部１２２は特に、通気性を良くするためにメッシュ状の布地を用いることが好ましい。一方、床面部１１は、床を這う虫との接触を防止するためにメッシュのない布地を用いることが好ましい。蚊帳１は、これらの布地を縫い合わせることによって形成されている。
【００１５】
蚊帳１は、天面部１２２の各角部に、蚊帳１を吊り下げるための吊り具１３が取り付けられており、吊り具１３を、室内の天井または鴨居等に設けられたフックに引っ掛けることで吊り下げられる。
【００１６】
周面部１２１には、使用者が蚊帳１の内部空間Ｓに出入するための出入口１４が設けられている。出入口１４は、周面部１２１に切り込みを入れることにより形成されており、本実施形態では、略Ｕ字状に切り込みが形成されている。出入口１４には線ファスナー（図示せず）が設けられており、線ファスナーを開閉することによって、出入口１４が開閉される。
【００１７】
図２に示すように、床面部１１には、コード線Ｃを配線するための配線口１５が設けられている。配線口１５は、床面部１１に切り込みを入れることによって形成されている。配線口１５の大きさは、コード線Ｃの端部に設けられるプラグまたはコンセントを挿通できる大きさとなっている。
【００１８】
図３に示すように、配線口１５が設けられる位置には、配線口１５を塞ぐように第１の面ファスナー２１が重ねて接合されている。具体的には、第１の面ファスナー２１は、両面テープ、接着剤等の任意の接着手段を用いて床面部１１に貼り付けられる。本実施形態では、両面テープを用いて床面部１１に貼り付けた上で、カシメ等の固定具２２で固定されている。
【００１９】
第１の面ファスナー２１には、配線口１５と連通し、コード線Ｃを通すことができる挿通口２３が形成されている。本実施形態では、第１の面ファスナー２１を床面部１１に貼り付けた状態で、床面部１１と第１の面ファスナー２１とを一緒に切り込みを入れることによって配線口１５および挿通口２３が形成されている。挿通口２３の大きさは、配線口１５と同様に、コード線Ｃの端部に設けられるプラグまたはコンセントを挿通できる大きさとなっている。
【００２０】
図４に示すように、第１の面ファスナー２１の上面には、挿通口２３および挿通口２３の周辺領域にわたって咬合面が咬み合う第２の面ファスナー２４が着脱自在に貼り合わされている。本実施形態では、第１の面ファスナー２１および第２の面ファスナー２４は、咬合面がフック面およびループ面の区別のないタイプの面ファスナーを用いて形成されている。具体的には、１枚の長手方向に延びる長方形状の上記面ファスナーを長手方向中央部で折り返し、長手方向中央から一方側を第１の面ファスナー２１とし、他方側を第２の面ファスナー２４としている。これにより、第２の面ファスナー２４は、第１の面ファスナー２１と一端において互いに連接されている。
【００２１】
コード線Ｃを蚊帳１の外部から内部空間Ｓに引き入れる場合、または、コード線Ｃを蚊帳１の内部空間Ｓから外部に引き出す場合には、第２の面ファスナー２４を第１の面ファスナー２１から外し、配線口１５および挿通口２３にコード線Ｃを挿通する。そして、図５に示すように、コード線Ｃを第１の面ファスナー２１上に這わせ、第２の面ファスナー２４を第１の面ファスナー２１に貼り合わせる。
【００２２】
以上のように、本実施形態では、蚊帳１に床面部１１が設けられ、内部空間Ｓが完全に閉塞されることで、床を這う虫が蚊帳１の内部空間Ｓに侵入することを防止することができる。その上で、配線口１５が取り付けられることで、蚊帳１の内部空間Ｓにおいて、例えば電動ベッド、電気スタンド、扇風機および携帯電話の充電器等を使用する場合でも、容易に電源を確保することができる。これにより、電動ベッドを必要とする人でも、蚊帳１の中で虫を避けて安心して休むことができるし、蚊帳１の内部空間Sで電化製品を利用できるため、蚊帳１の内部空間Sの利便性を高めることができる。さらに、この配線口１５は、配線口１５と連通する挿通口２３を有する第１の面ファスナーで塞がれており、挿通口２３および挿通口２３の周辺領域が第２の面ファスナー２４で塞がれている。これにより、配線口１５および挿通口２３を通して蚊帳１の内部空間Ｓに挿通されたコード線Ｃは、挿通口２３から所定の長さが第１の面ファスナー２１の咬合面と第２の面ファスナー２４の咬合面との間に挟まれる。このとき、第１の面ファスナー２１および第２の面ファスナー２４は面状であるため、コード線Ｃの表面の曲面に沿ってコード線Ｃを挟むことができる。その結果、コード線Ｃの周囲に虫の侵入路がなくなるため、蚊帳１の内部空間Ｓへ虫が侵入することを確実に防止することができる。さらに、本実施形態では、配線口１５および挿通口２３が切り込みであるため、配線口１５および挿通口２３が細くなり、より虫の侵入を防止し易くなる。
【００２３】
また、本実施形態では、第１の面ファスナー２１と第２の面ファスナー２４とは、一体的に形成されており、一端において互いに連接されている。これにより、配線口１５および挿通口２３にコード線Ｃを挿入するために第２の面ファスナー２４を第１の面ファスナー２１から外した場合でも、第２の面ファスナー２４の一端が第１の面ファスナー２１と連接しているので、第２の面ファスナー２４が第１の面ファスナー２１から分離されて紛失されることを防止することができる。
【００２４】
以上、本発明の一実施形態について説明したが、本発明はこの実施形態に限定されるものではなく、その趣旨を逸脱しない限りにおいて、種々の変更が可能である。
【００２５】
例えば、上記実施形態では、配線口１５および挿通口２３は、切り込みとして形成されているが、それに限らず、プラグまたはコンセントが挿通できる大きさで有れば任意の形状の孔とすることもできる。さらには、配線口１５と挿通口２３とは、同じ形状とする必要はなく、配線口１５と挿通口２３とが連通すれば、互いに異なる形状とすることができる。例えば、図６および図７に示すように、配線口１５を矩形状の孔とし、挿通口２３を楕円形状の孔として形成してもよい。また、配線口１５を任意の形状の孔とし、挿通口２３を切り込みとしてもよい。その逆も可能である。さらに、配線口１５および挿通口２３は、床面部１１に限られず、囲い面部１２、つまり周面部１２１または天面部１２２に設けられてもよいし、一箇所に限られず複数箇所設けられてもよい。
【００２６】
また、上記実施形態では、第１の面ファスナー２１および第２の面ファスナー２４には、咬合面がフック面およびループ面の区別のないタイプの面ファスナーを用いているが、第１の面ファスナー２１および第２の面ファスナー２４は上記形態に限られない。すなわち、咬合面にフックのみを有する面ファスナーと、咬合面にループのみを有する面ファスナーとを準備し、図７に示すように、一方を床面部１１に貼り付けて第１の面ファスナー２１とし、他方を第１の面ファスナー２１から分離した第２の面ファスナー２４とすることもできる。また、第２の面ファスナー２４は、挿通口２３および挿通口２３の周辺領域を覆う大きさであればよく、必ずしも第１の面ファスナー２１と同じ大きさとする必要はない。さらに、第１の面ファスナー２１および第２の面ファスナー２４は、必ずしも蚊帳１の内部空間S側に設けられる必要はなく、蚊帳１の外側に設けられてもよい。
【００２７】
また、上記実施形態では、蚊帳１は、床面部１１、周面部１２１および天面部１２２から構成される柱状を呈しているが、蚊帳１の形態は上記形態に限られず、床面部１１を有する既知の任意の形態を取り得る。例えば、図８に示すように、床面部１１と周面部１２１（囲い面部１２）とから構成される錐状を呈していてもよい。また、床面部１１の形状は矩形状に限られず、円形状等の任意の形状とすることができる。
【符号の説明】
【００２８】
１      蚊帳
１１    床面部
１２    囲い面部
１５    配線口
２１    第１の面ファスナー
２３    挿通口
２４    第２の面ファスナー
Ｃ      コード線
Ｓ      内部空間
【要約】
【課題】コード線を配線するための配線口を有する蚊帳であって、コード線の周囲を確実に塞ぐことで、配線口から虫が侵入することを確実に防止することができる蚊帳を提供する。
【解決手段】本発明は、床面部１１と、床面部１１に連なる囲い面部１２とにより、内部空間Ｓが閉塞されてなる蚊帳１であって、床面部１１および囲い面部１２の少なくとも一方にコード線Ｃを配線するための配線口１５が設けられるとともに、配線口１５の位置に、配線口１５を塞ぐように第１の面ファスナー２１が重ねられて接合されている。第１の面ファスナー２１は、配線口１５と連通するコード線Ｃの挿通口２４を有し、第１の面ファスナー２１の上面には、挿通口２４および挿通口２４の周辺領域にわたって咬合面が咬み合う第２の面ファスナー２４が着脱自在に貼り合わされている。
【選択図】  図１【図１】
0005791839.tif 000002
【図２】
0005791839.tif 000003
【図３】
0005791839.tif 000004
【図４】
0005791839.tif 000005
【図５】
0005791839.tif 000006
【図６】
0005791839.tif 000007
【図７】
0005791839.tif 000008
【図８】
0005791839.tif 000009